(57)【特許請求の範囲】
【請求項１】
それぞれ対向する平側パネルを基準として対向する妻側パネルを中折れ折畳み自在とした下層の構造物と該下層の構造物上に載置固定する上層の構造物とを備え，上記上層の構造物に上記対向する平側パネルを基準として中折れ折畳み自在とした屋根パネルを配置する一方，該上層の構造物の下端又は下層の構造物の上端にその対向する平側パネルを基準として中折れ折畳み自在とし又は各起倒折畳みにしてその自由端を相互に連結自在とした上下方向中間位置の床パネルを配置し且つ上記下層の構造物における各妻側パネルを上記対向する平側パネルの端部折曲部を介して該平側パネル間に谷折りすることによって上記中折れ折畳み自在に構成する一方，該下層の構造物の上端に上記床パネルを配置し，該床パネルを妻側間で３乃至３以上に分割して形成するとともに，その各妻側に位置する床パネル部分を上記各起倒折畳みにしてその自由端を連結自在に構成することによって，上記対向する平側パネルの端部折曲部によるスペースにそれぞれ受け入れ自在とし，その残余の中央位置の床パネル部分を上記谷折りの中折れ折畳み自在に構成することによって，上記谷折りした妻側パネル間にして平側パネル間のスペースに受け入れ自在としてなることを特徴とする屋根裏スペース付きの重層折畳み構造物。
【請求項２】
上記上層の構造物における屋根パネルを平側パネル上方に山折りすることによってその中折れの折畳みを自在とする棟部を有する切妻屋根形状とし，妻側パネルを該屋根パネルの妻側形状に合わせた形状として屋根パネル間に谷折りの中折れ折畳み自在に構成してなることを特徴とする請求項１に記載の屋根裏スペース付きの重層折畳み構造物。
【請求項３】
上記切妻屋根形状の屋根パネルにおける棟部によって，上記床パネルの中折れ部分又は自由端連結部分を吊り支持自在としてなることを特徴とする請求項２に記載の屋根裏スペース付きの重層折畳み構造物。
【発明の詳細な説明】
【０００１】
本発明は，例えば車庫，架設ハウス，臨時救護所等の各種用途に使用するに好適な屋根裏スペース付きの重層折畳み構造物に関する。
【０００２】
【従来の技術及び発明が解決しようとする課題】
この種折畳み構造物として，本発明者は，対向する平側パネルを基準として妻側パネル及び屋根パネルをそれぞれ中折れ折畳み自在としたものを提案しているが，このとき該折畳み構造物は単層（平屋）の構造であるため，例えばこれを車庫，架設ハウス，臨時救護所等の各種用途に使用する場合，それぞれの用途に応じた専用のスペースを確保することができるが，関連物品の収納スペースを確保することが一般に困難であり，敢えてこれを確保しようとすると折畳み構造物の平面面積を大きくするか，上記専用のスペースを削り，これを縮小する以外にない。
【０００３】
本発明はかかる事情に鑑みてなされたもので，その解決課題とするところは，所定の平面面積を維持して，各種の用途に応じた専用のスペースを確保する一方，屋根裏に収納スペースを配置して，関連物品の収納を可能と一方で，該収納スペースを配置することによって構造物の折畳み高さが大きくなり，例えばトラック輸送時の道路の高さ制限を超えたり，構造物の不使用時にその保管の障害となったりすることを防止し得るように可及的コンパクトな折畳みを可能とした屋根裏スペース付きの重層折畳み構造物を提供するにある。
【０００４】
【課題を解決するための手段】
上記課題に添って本発明は，上層の折畳み構造物と下層の折畳み構造物による重層の構造物とし，使用時に下層の構造物上に上層の構造物を載置固定するようにして，輸送時や保管時に上下層を分離可能とし，また各折畳み構造物の妻側パネル及び上層の構造物の屋根パネルをそれぞれ平側面を基準にして中折れ折畳み自在とする一方，上層の構造物の下端又は下層の構造物の上端に上記収納スペースの床面をなす上下方向中間位置の床パネルを同じく折畳み自在に配置するとともに上記下層の構造物を平側パネルの長さに折畳み得るようにして，その可及的にコンパクトな折畳みをなし得るようにしたものであって，即ち請求項１に記載の発明を，それぞれ対向する平側パネルを基準として対向する妻側パネルを中折れ折畳み自在とした下層の構造物と該下層の構造物上に載置固定する上層の構造物とを備え，上記上層の構造物に上記対向する平側パネルを基準として中折れ折畳み自在とした屋根パネルを配置する一方，該上層の構造物の下端又は下層の構造物の上端にその対向する平側パネルを基準として中折れ折畳み自在とし又は各起倒折畳みにしてその自由端を相互に連結自在とした上下方向中間位置の床パネルを配置し且つ上記下層の構造物における各妻側パネルを上記対向する平側パネルの端部折曲部を介して該平側パネル間に谷折りすることによって上記中折れ折畳み自在に構成する一方，該下層の構造物の上端に上記床パネルを配置し，該床パネルを妻側間で３乃至３以上に分割して形成するとともに，その各妻側に位置する床パネル部分を上記各起倒折畳みにしてその自由端を連結自在に構成することによって，上記対向する平側パネルの端部折曲部によるスペースにそれぞれ受け入れ自在とし，その残余の中央位置の床パネル部分を上記谷折りの中折れ折畳み自在に構成することによって，上記谷折りした妻側パネル間にして平側パネル間のスペースに受け入れ自在としてなることを特徴とする屋根裏スペース付きの重層折畳み構造物とし，請求項２に記載の発明は，上記上層の構造物を同じく平側パネルの長さに折畳み得るようにして，その可及的にコンパクトな折畳みを行なうように，これを，上記上層の構造物における屋根パネルを平側パネル上方に山折りすることによってその中折れの折畳みを自在とする棟部を有する切妻屋根形状とし，妻側パネルを該屋根パネルの妻側形状に合わせた形状として屋根パネル間に谷折りの中折れ折畳み自在に構成してなることを特徴とする請求項１に記載の屋根裏スペース付きの重層折畳み構造物とし，請求項３に記載の発明は，上記収納スペースをなす床パネルの荷重支持を必要に応じて簡易且つ確実になし得るものとするように，これを，上記切妻屋根形状の屋根パネルにおける棟部によって，上記床パネルの中折れ部分又は自由端連結部分を吊り支持自在としてなることを特徴とする請求項２に記載の屋根裏スペース付きの重層折畳み構造物とし，これらをそれぞれ発明の要旨として，上記課題解決の手段としたものである。
【０００５】
【発明の実施の形態】
以下図面の例に従って本発明を更に具体的に説明すれば，Ａは，例えば車庫として使用するように構成した屋根裏スペース付きの重層折畳み構造物であって，該構造物Ａは，それぞれ対向する平側パネル６を基準として対向する妻側パネル１０を中折れ折畳み自在とした下層の構造物１と該下層の構造物１上に載置固定する上層の構造物２とを備え，上記上層の構造物２に上記対向する平側パネル６を基準として中折れ折畳み自在とした屋根パネル１１を配置する一方，該上層の構造物２の下端又は下層の構造物１の上端にその対向する平側パネル６を基準として中折れ折畳み自在とし又は各起倒折畳みにしてその自由端を相互に連結自在とした上下方向中間位置の床パネル１４を配置したものとしてある。
【０００６】
このとき上記構造物Ａにおいて，上記下層の構造物１における各妻側パネル１０は，これを上記対向する平側パネル６の端部折曲部７を介して該平側パネル６間に谷折りすることによって上記中折れ折畳み自在に構成する一方，該下層の構造物１の上端に上記床パネル１４を配置し，該床パネル１４を妻側間で３乃至３以上に分割して形成するとともに，その各妻側に位置する床パネル部分１５を上記各起倒折畳みにしてその自由端を連結自在に構成することによって，上記対向する平側パネル６の端部折曲部７によるスペース８にそれぞれ受け入れ自在とし，その残余の中央位置の床パネル部分１６を上記谷折りの中折れ折畳み自在に構成することによって，上記谷折りした妻側パネル１０間にして平側パネル６間のスペース９に受け入れ自在としてあり，また上記上層の構造物２における屋根パネル１１は，これを平側パネル６上方に山折りすることによってその中折れの折畳みを自在とする棟部１２を有する切妻屋根形状とし，妻側パネル１０を該屋根パネル１１の妻側形状に合わせた形状として屋根パネル１１間に谷折りの中折れ折畳み自在に構成したものとしてある。
【０００７】
本例の構造物Ａは，下層の構造物１において上記平側パネル６，妻側パネル１０及び上下方向中間位置の床パネル１４を用いて折畳み自在とし，上層の構造物２において上記平側パネル６，妻側パネル１０及び屋根パネル１１を用いて折畳み自在としたそれぞれパネル構成のものとしてあり，下層の構造物１に車両を受け入れ，上層の構造物２を，上記床パネル１４により仕切った屋根裏スペースとすることにより，これに，例えば車両の維持管理に使用する，交換タイヤ，車両洗浄用品，掃除機等，或いは必要に応じてその余の物品を収納保管し得るように使用するものとしてあり，従って本例にあって，その下層の構造物１は，人の使用に一般に必要とされる床面を備えないものとして構成してある。
【０００８】
下層の構造物１及び上層の構造物２の上記パネルは，それぞれ例えば金属フレームに外装材乃至内装材を張設したものを用い，必要に応じてこれを複数連結使用するものとしてあり，このとき上記各平側パネル６を基準とした妻側パネル１０，屋根パネル１１，床パネル１４等の各折畳みは，これをそれぞれヒンジ金物又はアルミ全面ヒンジ等を使用することによって，これらをヒンジ１９連結することによって，該ヒンジ１９を介して行なうようにしてある。
【０００９】
即ち上下層の構造物１，２における妻側パネル１０は，下層の構造物１にあって，平側パネル６と同一高さにして所定幅の妻側の寸法に合わせた矩形形状を呈するようにしてあり，上層の構造物２にあって，幅を下層の構造物１のものと同じくするが，高さと高さ方向の形状を上記切妻屋根形状の屋根パネル１１に合わせたものとし，上記平側パネル６を基準とする該妻側パネル１０の折畳みは，平側パネル６の各両側端部に対して妻側パネル１０の両側端部をヒンジ１９連結するとともに妻側パネル１０をその幅方向中央位置で分割し，該中央位置をヒンジ１９連結することによって，該妻側パネル１０をそれぞれ平側パネル６間に上記谷折りの中折れ折畳み自在に構成するものとしてある。
【００１０】
このとき本例の上記平側パネル６と妻側パネル１０のヒンジ１９連結は，これを，それぞれ対向する平側パネル６の側端を妻側に向けて所定寸法，例えば１０乃至２０ｃｍ程度折曲することによって設置した上記端部折曲部７を介して，その先端にヒンジ１９を設置してこれを行なってあり，これにより妻側パネル１０の上記谷折りの折畳み状態で平側パネル６の内側に，後述の床パネル１４受入用のスペース８を形成するようにしてある。
【００１１】
上層の構造物２における上記平側パネル６を基準とする，本例において切妻屋根形状とした屋根パネル１１の折畳みは，該上層の構造物２の，本例において比較的高さを低く形成した平側パネル６を覆い防水性を高度に確保するように，該平側パネル６の両上端部に対して屋根パネル１１の下端又は中間位置裏面，本例にあっては該中間位置裏面の金属フレーム位置をヒンジ１９連結するとともに屋根パネル１１上端の幅方向中央位置で分割して該中央位置に，例えば同じく金属フレームによる幅広全長の中折れ部分をなす棟部材を介設して，これを切妻屋根の棟部１２とし，該棟部１２の幅方向両端部に上記中央位置をそれぞれヒンジ１９連結することによって行なってあり，これにより該屋根パネル１１を平側パネル６上方に向けて山折りの中折れ折畳み自在に構成し，その所定角度，本例においては，例えば４５度の外観のよい勾配の切妻屋根形状をなすものとしてある。
【００１２】
本例において上記下層の構造物１の上端に配置した床パネル１４は，本例にあって妻側間において３分割して形成してあり，このとき該分割は，妻側パネル１０の折畳み幅，即ち妻側の１／２幅に合わせた妻側に位置する床パネル部分１５とその残余の中央位置の床パネル部分１６によるものとし，該妻側に位置する両端の床パネル部分１５におけるヒンジ１９連結は，中央で分割した一対の床パネル部材を，平側パネル６の両上端部に対してそれぞれ下向きの起倒回動を行なうように行なうことによって，その起倒折畳みを自在に構成するとともにその転倒折畳みの状態において，上記平側パネル６の端部折曲部７によるスペース８に受け入れ自在とする一方，その自由端同士を，例えばＬ字状，Ｓ字状等の自由端連結部材１７を介設し，これによって相互に連結自在に構成して上記床パネル部分１５の床面を形成するようにしてあり，また中央位置の床パネル部分１６におけるヒンジ１９連結は，これを，平側パネル６の両上端部に対して床パネル１５の両側端部をヒンジ１９連結するとともに該床パネルをその幅方向中央位置で分割し，該中央位置に，例えば同じく金属フレームによる該床パネル部分１６と同長の中折れ部分をなす連結枠１８を介設し，該連結枠１８の幅方向両端部に上記中央位置をそれぞれヒンジ１９連結することによって行なっており，これにより該床パネル部分１６を平側パネル６間にその下方に向けて谷折りの中折れ折畳み自在に構成し，その谷折りの折畳み状態で，上記平側パネル６間のスペース９に受け入れ自在としてある。
【００１３】
このとき該床パネル１４における上記中央位置の床パネル部分１６は，これを上記切妻屋根形状の屋根パネル１１における棟部１２によって，その中折れ部分，即ち連結枠１８を吊り支持自在としてあり，本例にあって該吊り支持は，上記棟部１２から垂下した吊り支持部材２０によって上記連結枠１８を吊り持ちすることによって行なってあり，本例において該吊り支持部材２０は，これを，上記棟部１２の棟部材に上端を固定した吊りボルトとし，これを連結枠１８に挿通して，その上下面双方においてナット２１を締着することによって行なってあり，これによって上記中央位置の床パネル部分１６を，スペース９に受け入れ自在とする谷折りのものとしたにも拘らず，強度を確保した床面形成を可能として，これに対する人や物品の荷重を支持可能としてある。
【００１４】
図中３は窓，４は人の出入用ドア，５は一方の妻側パネル１０に設置した車両の出入用開口を開閉自在に閉塞する，本例において後付けしたシャッター，１３は屋根パネル１１の棟部１２を覆う防水用の棟カバー，２２は下層の構造物１における平側パネル６及び妻側パネル１０の接地部分の固定金具である。
【００１５】
以上のように構成した本例の重層折畳み構造物Ａは，例えば設置現場に上下層の各構造物１，２を分離搬入し，下層の構造物１を，例えばクレーンの吊り状態で平側パネル６を離隔方向に引くことによって妻側パネル１０を伸張して，平面矩形状の壁面を構成して定位置に設置する一方，上層の構造物２を同じくクレーンの吊り状態で同様に平側パネル６を離隔方向に引くことによって妻側パネル１０と屋根パネル１１を伸張して，上記下層の構造物１の平側パネル６と妻側パネル１０の上端に，平側パネル６及び妻側パネル１０の下端を突合せ対接するように載置して，例えば各平側パネル６と妻側パネル１０の上記金属フレーム間を，例えばボルトナットで締着する等の固定手段によって固定し，その後に上記妻側位置の床パネル部分１５を起立回動し，その自由端を自由端連結部材１７により連結し，また中央位置の床パネル部分１６を押上状にしてこれを伸張して上下方向中間位置に物品収納用の床パネル１５を形成するとともに，上記中央位置の床パネル部分１６の上記連結枠１８を，屋根パネル１１の棟部１２との間で上記吊り支持部材２０によって吊り支持するようにして設置し，車庫として使用するようにし，またこれと逆の手順によって上下層の各構造物１，２を折畳み，分離状態としてその分離搬出や分離保管を行なうようにするものとしてある。
【００１６】
このとき上記床パネル１５には，図示省略の人の出入用開口を設けてあり，同じく着脱自在の梯子により人が上がれるようにして，該床パネル１５に，上記，例えば交換タイヤ，車両洗浄用品，掃除機等適宜の物品を載置収納して，上下方向中間のスペースを屋根裏の収納スペースとして使用可能とするようにしてある。
【００１７】
図示した例は以上のとおりとしたが，妻側パネルの中折れ折畳みを山折りに，また屋根パネルの中折れ折畳みを谷折りに構成すること，屋根パネルを陸屋根乃至片流れ屋根等に構成すること，上下方向中間位置の床パネルを上層の構造物に設置すること，この場合を含めて該床パネルを妻側間に単一構成にしてこれを上記に準じて谷折り又は山折りの中折れ折畳み自在とし或いは起倒折畳みにして自由端を連結自在として構成すること，該床パネルを上記妻側間で３以上に分割して形成すること，この場合を含めて床パネルを山折りの中折れ折畳み自在に構成したとき，また起倒折畳みにして自由端を連結自在に構成したときにも，同様に棟部に吊り支持することによってその耐荷重性を向上するようにすること，妻側パネル，屋根パネル，床パネル間又はこれらと平側パネル間にブラケット，閂等適宜の固定手段を施して，折畳み部分の保形性を確保又は向上すること，下層の構造物の下端に床パネルを上記に準じて折畳み自在に設置し，簡易ハウス等人の使用に供する各種用途のものとして構造物を構成すること等を含めて，本発明の実施に当って，重層折畳み構造物，下層の構造物，上層の構造物，平側パネル，妻側パネル，屋根パネル，上下方向中間位置の床パネル等の各具体的材質，形状，構造，寸法，用途，これらの関係，これらに対する付加等は上記発明の要旨に反しない限り，様々の形態のものとすることができる。
【００１８】
【発明の効果】
本発明は以上のとおりに構成したから，請求項１に記載の発明は，上層の折畳み構造物と下層の折畳み構造物による重層の構造物とし，使用時に下層の構造物上に上層の構造物を載置固定するようにして，輸送時や保管時に上下層を分離可能とし，また各折畳み構造物の妻側パネル及び上層の構造物の屋根パネルをそれぞれ平側面を基準にして中折れ折畳み自在とする一方，上層の構造物の下端又は下層の構造物の上端に上記収納スペースの床面をなす上下方向中間位置の床パネルを同じく折畳み自在に配置したことによって，所定の平面面積を維持して，各種用途に応じた専用のスペースを確保する一方，屋根裏に収納スペースを配置して，関連物品の収納を可能とするとともに該収納スペースの配置によって構造物の折畳み高さが大きくなり，例えば輸送時の高さ制限を超えたり，不使用時の室内保管の障害となったりするのを防止し得るように可及的コンパクトな折畳みを可能とするとともに上記下層の構造物を平側パネルの長さに折畳み得るようにして，更に可及的にコンパクトな折畳みを行なうようにした屋根裏スペース付きの重層折畳み構造物を提供することができ，請求項２に記載の発明は，上記上層の構造物を同じく平側パネルの長さに折畳み得るようにして，その可及的にコンパクトな折畳みを行なうものとすることができ，請求項３に記載の発明は，上記収納スペースをなす床パネルの荷重支持を必要に応じて簡易且つ確実になし得るものとすることができる。
【図面の簡単な説明】
【図１】  重層折畳み構造物の一部切欠き斜視図である。
【図２】  上下層の構造物の折畳み状態を示す斜視図である。
【図３】  下層の構造物の横断面図である。
【図４】  下層の構造物の折畳み状態を示す横断面図である。
【図５】  重層折畳み構造物の縦断面図である。
【図６】  床パネル部分の配置状態を示す縦断面図である。
【図７】  妻側に位置する床パネル部分の構造を示す縦断面図である。
【符号の説明】
Ａ  重層折畳み構造物
１  下層の構造物
２  上層の構造物
６  平側パネル
１０  妻側パネル
１１  屋根パネル
１４  床パネル
１９  ヒンジ
２０  吊り支持部材
【図１】
0003820431.tif 000002
【図２】
0003820431.tif 000003
【図３】
0003820431.tif 000004
【図４】
0003820431.tif 000005
【図５】
0003820431.tif 000006
【図６】
0003820431.tif 000007
【図７】
0003820431.tif 000008